(57)【要約】  本発明に係る空気調和機の室外機は、筐体と、通電される機器が収納される機械室と送風機が収納される送風機室とに前記筐体の内部を仕切る仕切板と、を備え、前記仕切板に前記送風機と接続される配線が通る配線通路が形成された空気調和機の室外機であって、側壁部が前記配線通路と対向するように前記機械室に設けられた箱状の水受け部品を備え、前記水受け部品には、前記側壁部における前記配線通路と対向する箇所に第１開口部が形成されるとともに、上面部に該水受け部品から引き出される前記配線が通る第２開口部が形成され、前記水受け部品は、前記第１開口部の周縁が前記仕切板に接触して、前記仕切板に取り付けられており、前記水受け部品の底部の一部と前記仕切板との間に、前記水受け部品で受けられた水が該水受け部品から排出される際に通る隙間が形成されており、前記底部は前記隙間に向かって傾斜している。
2020208707.tif 000002
【特許請求の範囲】
【請求項１】
筐体と、
通電される機器が収納される機械室と送風機が収納される送風機室とに前記筐体の内部を仕切る本体部を有する仕切板と、
を備え、
前記仕切板の前記本体部に前記送風機と接続される配線が通る配線通路が形成された空気調和機の室外機であって、
側壁部が前記配線通路と対向するように前記機械室に設けられ、前記配線通路から前記機械室へ侵入する水を受ける箱状の水受け部品を備え、
前記水受け部品には、前記側壁部における前記配線通路と対向する箇所に第１開口部が形成されるとともに、上面部に該水受け部品から引き出される前記配線が通る第２開口部が形成され、
前記水受け部品は、前記第１開口部の周縁が前記本体部に接触して、前記仕切板に取り付けられており、
前記水受け部品の底部の一部と前記仕切板との間に、前記水受け部品で受けられた水が該水受け部品から排出される際に通る隙間が形成されており、
前記底部は前記隙間に向かって傾斜している
空気調和機の室外機。
【請求項２】
前記隙間は、前記底部の最も低くなる位置に形成されている
請求項１に記載の空気調和機の室外機。
【請求項３】
前記配線通路は円形状の貫通孔であり、
前記水受け部品の前記上面部は、前記貫通孔の中心よりも高い
請求項１又は請求項２に記載の空気調和機の室外機。
【請求項４】
前記仕切板は、前記本体部の水平方向の端部のうちの一方である第１端部から前記送風機室とは反対側に延びる折り曲がり部を備え、
前記水受け部品は、前記本体部と前記折り曲がり部とに接触して取り付けられている
請求項１〜請求項３のいずれか一項に記載の空気調和機の室外機。
【請求項５】
前記隙間は、前記本体部と前記折り曲がり部との接続箇所である角部に形成されている
請求項４に記載の空気調和機の室外機。
【請求項６】
前記本体部の水平方向の端部のうち、前記第１端部と反対側の端部を第２端部とした場合、
前記配線通路と前記第１端部との距離が、前記配線通路と前記第２端部との距離よりも近い
請求項５に記載の空気調和機の室外機。
【請求項７】
前記底部のうちで前記隙間よりも高い箇所と接続された前記側壁部の一部は、平面視において、前記隙間から離れるにしたがって前記仕切板の前記本体部に近づく形状となっている
請求項１〜請求項６のいずれか一項に記載の空気調和機の室外機。
【請求項８】
前記水受け部品は、配線を固定する配線固定部を備えている
請求項１〜請求項７のいずれか一項に記載の空気調和機の室外機。
【発明の詳細な説明】
【技術分野】
【０００１】
本発明は、機械室に収納された機器へ水が付着することの抑制を図った空気調和機の室外機に関するものである。
【背景技術】
【０００２】
空気調和機の室外機は、筐体を備えている。この筐体の内部は、仕切板によって、送風機室と機械室とに仕切られている。送風機室には、送風機及び熱交換器が収納されている。機械室には、該機械室内の上部に、制御基板等の電気部品が収納された電気品箱が収納されている。また、機械室には、電気品箱の下方となる位置に、圧縮機等の通電される機器が収納されている。送風機は、該送風機に通電するため、電気品箱内の電気部品と配線で接続されている。ここで、上述のように、送風機は送風機室に収納され、電気品箱は機械室に収納されている。このため、送風機室と機械室とを仕切る仕切板には、送風機と接続される配線が通る配線通路として、貫通孔又は溝が形成されている。【０００３】
筐体における送風機室を構成する部分には、送風機によって送風機室内に吸い込まれた空気を送風機室外へ吹き出すため、吹出口が形成されている。このため、送風機室には、吹出口から、雨等の水が浸入する。したがって、送風機室へ侵入した水が仕切板に形成された配線通路を通って機械室に侵入し、機械室に収納された機器へ付着する可能性がある。【０００４】
そこで、従来の空気調和機の室外機には、仕切板の配線通路から機械室に侵入した水が電気品箱に侵入することの抑制を図ったものが提案されている（特許文献１参照）。具体的には、特許文献１に記載の室外機は、仕切板の上部に、配線通路となる溝が形成されている。また、特許文献１に記載の室外機の電気品箱は、送風機と接続される配線を支持する支持部と、送風機と接続される配線を上方から押さえる押さえ片と、を備えている。支持部及び押さえ片は、送風機と接続される配線が斜め上方に向かいながら電気品箱に挿入されるように、送風機と接続される配線を保持している。これにより、機械室内において、送風機と接続される配線には、仕切板の配線通路と電気品箱との間に、下方へ凸となるように湾曲した湾曲部が形成される。このため、特許文献１に記載の室外機においては、仕切板の配線通路から機械室に侵入した水が送風機と接続される配線を伝って流れた際、湾曲部に水が溜まって、該湾曲部で下方に落下する。したがって、特許文献１に記載の室外機は、仕切板の配線通路から機械室に侵入した水が電気品箱に侵入することを抑制できる。
【先行技術文献】
【特許文献】
【０００５】
【特許文献１】特開平９−２６１６４号公報
【発明の概要】
【発明が解決しようとする課題】
【０００６】
空気調和機の室外機の機械室には、電気品箱の下方となる位置にも、圧縮機等の通電される機器が収納されている。このため、特許文献１に記載の室外機は、送風機と接続される配線の湾曲部から落下した水が、電気品箱の下方に設けられた通電される機器に付着してしまうという課題があった。【０００７】
本発明は、上述の課題を解決するためになされたものであり、仕切板の配線通路から機械室に侵入した水が電気品箱の下方に設けられた通電される機器に付着することを従来よりも抑制できる空気調和機の室外機を提供することを目的とする。
【課題を解決するための手段】
【０００８】
本発明に係る空気調和機の室外機は、筐体と、通電される機器が収納される機械室と送風機が収納される送風機室とに前記筐体の内部を仕切る本体部を有する仕切板と、を備え、前記仕切板の前記本体部に前記送風機と接続される配線が通る配線通路が形成された空気調和機の室外機であって、側壁部が前記配線通路と対向するように前記機械室に設けられ、前記配線通路から前記機械室へ侵入する水を受ける箱状の水受け部品を備え、前記水受け部品には、前記側壁部における前記配線通路と対向する箇所に第１開口部が形成されるとともに、上面部に該水受け部品から引き出される前記配線が通る第２開口部が形成され、前記水受け部品は、前記第１開口部の周縁が前記本体部に接触して、前記仕切板に取り付けられており、前記水受け部品の底部の一部と前記仕切板との間に、前記水受け部品で受けられた水が該水受け部品から排出される際に通る隙間が形成されており、前記底部は前記隙間に向かって傾斜している。
【発明の効果】
【０００９】
本発明に係る空気調和機の室外機においては、仕切板の配線通路から機械室に侵入した水は、水受け部品で受けられる。そして、本発明に係る空気調和機の室外機においては、水受け部品で受けられた水は、仕切板を伝って下方へ流れ落ちていく。このため、本発明に係る空気調和機の室外機は、電気品箱の下方に設けられた通電される機器に水が付着することを抑制できる。
【図面の簡単な説明】
【００１０】
【図１】実施の形態に係る空気調和機の室外機の外観を示す斜視図である。
【図２】実施の形態に係る空気調和機の室外機の内部構造を示す斜視図である。
【図３】実施の形態に係る空気調和機の室外機の配線通路周辺を前方から見た斜視図である。
【図４】実施の形態に係る空気調和機の室外機の配線通路周辺の側面図である。
【図５】実施の形態に係る空気調和機の室外機の配線通路周辺を後方から見た斜視図である。
【図６】実施の形態に係る空気調和機の室外機の配線通路周辺の横断面図である。
【発明を実施するための形態】
【００１１】
実施の形態．
図１は、実施の形態に係る空気調和機の室外機の外観を示す斜視図である。また、図２は、実施の形態に係る空気調和機の室外機の内部構造を示す斜視図である。
なお、以下では、吹出口３が形成された側を空気調和機の室外機１００の前面側として、室外機１００を説明していく。このため、図１は室外機１００の外観を前面側から見た斜視図となり、図２は室外機１００の内部構造を前面側から見た斜視図となる。
【００１２】
空気調和機の室外機１００は、例えば略直方体の筐体１を備えている。筐体１の前面部２には、吹出口３が形成されている。この筐体１の内部は、仕切板２０の本体部２１によって、送風機室５と機械室６とに仕切られている。
【００１３】
送風機室５には、熱交換器１１及び送風機１２が収納されている。熱交換器１１は、筐体１の送風機室５を構成する部分に形成された吸込口と対向するように、送風機室５に収納されている。本実施の形態では、筐体１の背面部から側面部にかけて、吸込口が形成されている。このため、熱交換器１１は、平面視にいて略Ｌ字形状となっている。送風機１２は、筐体１の前面部２の送風機室５を構成する部分に形成された吹出口３と対向するように、送風機室５に収納されている。本実施の形態では、送風機室５に２つの送風機１２が収納されている。このため、筐体１の前面部２にも２つの吹出口３が形成されている。このように構成された室外機１００においては、送風機１２が駆動することにより、筐体１の吸込口から送風機室５内へ室外の空気が吸い込まれる。この際、送風機室５内へ吸い込まれる空気と熱交換器１１とが熱交換する。そして、熱交換器１１と熱交換した空気は、吹出口３から、筐体１の外部へ吹き出される。
【００１４】
機械室６には、該機械室６内の上部に、電気品箱１４が収納されている。この電気品箱１４には、制御基板等の電気部品が収納されている。また、機械室６には、電気品箱１４の下方となる位置に、配線を介して電気品箱１４の電機部品から通電される機器が収納されている。通電される機器とは、例えば圧縮機１３である。
【００１５】
圧縮機１３と同様に、送風機１２もまた、電気品箱１４の電機部品と配線で接続され、電気品箱１４の電機部品から通電されて駆動する構成となっている。ここで、上述のように、送風機１２は送風機室５に収納され、電気品箱１４は機械室６に収納されている。このため、送風機室５と機械室６とを仕切る仕切板２０の本体部２１には、送風機１２と接続される配線が通る配線通路２２が形成されている。なお、配線通路２２は、例えば、貫通孔又は溝で形成される。本実施の形態では、配線通路２２は、円形状の貫通孔となっている。
【００１６】
ここで、上述のように、筐体１における送風機室５を構成する部分には、吹出口３が形成されている。このため、送風機室５には、吹出口３から、雨等の水が浸入する。したがって、送風機室５へ侵入した水が仕切板２０の本体部２１に形成された配線通路２２を通って機械室６に侵入し、電気品箱１４の下方に設けられた圧縮機１３等の通電される機器へ付着する可能性がある。このため、本実施の形態に係る室外機１００においては、電気品箱１４の下方に設けられた圧縮機１３等の通電される機器へ水が付着することを抑制するため、次のような構成となっている。
【００１７】
図３は、実施の形態に係る空気調和機の室外機の配線通路周辺を前方から見た斜視図である。図４は、実施の形態に係る空気調和機の室外機の配線通路周辺の側面図である。図５は、実施の形態に係る空気調和機の室外機の配線通路周辺を後方から見た斜視図である。また、図６は、実施の形態に係る空気調和機の室外機の配線通路周辺の横断面図である。
なお、図６に示す太線の矢印は、水受け部品４０内の水の流れを示している。また、図３〜図５に示す配線１５は、送風機１２に接続される配線を示している。また、図４〜図６に示す配線１６は、機械室６において電気品箱１４の下方となる位置に配置されている通電される機器と接続される配線を示している。例えば、配線１６は、圧縮機１３に接続される配線である。
【００１８】
上述のように、本実施の形態では、配線通路２２は、円形状の貫通孔となっている。この配線通路２２には、ゴムブッシュ２３が嵌め込まれている。ゴムブッシュ２３は、配線通路２２を覆うゴム製の部品であり、中心部に十字の切り込みが形成されている。送風機１２に接続される配線１５は、この切り込みを通って、送風機室５から機械室６へ引き回される。従来の室外機の配線通路にも、ゴムブッシュが設けられている。そして、従来の室外機は、このゴムブッシュにより、送風機室へ侵入した水が配線通路を通って機械室６に侵入することの抑制を図っている。しかしながら、配線１５をゴムブッシュ２３の切り込みに挿入すると、切り込み部分に隙間が生じてしまう。また、ゴムブッシュ２３の切り込みに複数の配線１５を挿入した場合には、配線１５同士の間にも隙間が形成されてしまう。このため、配線通路２２にゴムブッシュ２３を設けても、配線通路２２から機械室６内へ水が入ってきて飛び散り、機械室６に収納された機器へ水が付着してしまう。
【００１９】
そこで、本実施の形態に係る室外機１００は、配線通路２２から機械室６へ侵入する水を受ける箱状の水受け部品４０を備えている。水受け部品４０は、該水受け部品４０の側壁部４１が配線通路２２と対向するように、機械室６に設けられている。すなわち、水受け部品４０の底部４２は、配線通路２２よりも下方に配置されることとなる。また、水受け部品４０の側壁部４１には、配線通路２２と対向する箇所に第１開口部４５が形成されている。本実施の形態では、配線通路２２が形成されている仕切板２０の本体部２１と対向する箇所全域が、第１開口部４５となっている。また、水受け部品４０の上面部４７には、水受け部品４０から引き出される配線１５が通る第２開口部４６が形成されている。すなわち、配線通路２２から水受け部品４０内に引き回された配線１５は、上方に曲げられて、第２開口部４６から水受け部品４０の外部へ引き回され、電気品箱１４の電機部品と接続される。
【００２０】
上述のように構成された水受け部品４０は、第１開口部４５の周縁が仕切板２０の本体部２１に接触して、仕切板２０に取り付けられている。換言すると、水受け部品４０は、第１開口部４５の周縁が本体部２１における配線通路２２の外周側となる部分に接触して、仕切板２０に取り付けられている。また、水受け部品４０が仕切板２０に取り付けられた状態においては、水受け部品４０の底部４２の一部と仕切板２０との間に、水受け部品４０で受けられた水が該水受け部品４０から排出される際に通る隙間６０が形成される。また、底部４２は隙間６０に向かって傾斜している。
【００２１】
このため、ゴムブッシュ２３と配線１５との間等の隙間から機械室６に侵入した水は、水受け部品４０の側壁部４１及び底部４２で形成される窪み４４で受けられる。また、配線１５は水受け部品４０内で上方に引き回されているので、配線１５を伝って機械室６に侵入した水も、窪み４４で受けられる。すなわち、配線通路２２から機械室６に侵入した水は、水受け部品４０の窪み４４で受けられる。そして、窪み４４で受けられた水は、図６に示すように、傾斜している底部４２上を隙間６０に向かって流れ、隙間６０から水受け部品４０の外部へ排出される。また、隙間６０は水受け部品４０の底部４２の一部と仕切板２０との間に形成されているので、隙間６０から水受け部品４０の外部へ排出された水は、仕切板２０を伝って下方へ流れていく。仕切板２０を伝って下方へ流れた水は、筐体１の底面部を構成する底板４で受けられ、底板４に形成された図示せぬ排水口から、室外機１００の外部へ排出される。
【００２２】
水受け部品４０を備えた室外機１００においては、配線通路２２から機械室６に侵入した水をこのように排出できるので、配線通路２２から機械室６に侵入した水が機械室６内に飛び散ることを抑制でき、電気品箱１４の下方に設けられた圧縮機１３等の通電される機器に水が付着することを抑制できる。また、水受け部品４０から引き出される配線１５の通る第２開口部４６が水受け部品４０の上面部４７に形成されているので、配線１５の引き回しが容易となるという効果も得られる。
【００２３】
ここで、本実施の形態では、隙間６０は、底部４２の最も低くなる位置に形成されている。このため、窪み４４で受けられた水の全てを、水受け部品４０の外部へ排出することができる。
【００２４】
また、本実施の形態では、配線通路２２が円形状の貫通孔となっている。そして、水受け部品４０の上面部４７は、配線通路２２である貫通孔の中心よりも高くなっている。すなわち、水受け部品４０の側壁部４１は、配線通路２２である貫通孔の中心よりも低い位置だけでなく、配線通路２２である貫通孔の中心よりも高い位置も覆っている。配線通路２２が円形状の貫通孔となっている場合、上述のようにゴムブッシュ９が取り付けられる。そして、配線１５は、一般的に、ゴムブッシュ２３の中心部に形成された切り込みを通される。このため、配線通路２２である貫通孔の中心付近に隙間ができやすく、該中心付近から機械室６へ水が浸入しやすい。この際、水受け部品４０の上面部４７が配線通路２２である貫通孔の中心よりも高くなっていることにより、水受け部品４０の上面部４７が配線通路２２である貫通孔の中心よりも低くなっている場合と比べ、配線通路２２から機械室６に侵入した水を水受け部品４０の窪み４４でより確実に受けられるようになる。すなわち、水受け部品４０の上面部４７が配線通路２２である貫通孔の中心よりも高くなっていることにより、水受け部品４０の上面部４７が配線通路２２である貫通孔の中心よりも低くなっている場合と比べ、電気品箱１４の下方に設けられた圧縮機１３等の通電される機器に水が付着することをより抑制できる。
【００２５】
また、本実施の形態では、水受け部品４０を次のように仕切板２０に取り付けているので、水受け部品４０の取り付けが容易となっている。まず、水受け部品４０の仕切板２０への取り付け構成を説明にあたり、仕切板２０の本体部２１の水平方向の端部のうちの一方を、第１端部２５とする。また、仕切板２０の本体部２１の水平方向の端部のうちの他方を、第２端部２６とする。図２に示すように、本実施の形態では、仕切板２０の本体部２１は、前後方向に延び、筐体１の内部を送風機室５と機械室６とに仕切っている。このため、本体部２１は、水平方向の端部として、前端部及び後端部を備えている。したがって、本実施の形態では、本体部２１の前端部及び後端部のうちの一方が第１端部２５となり、本体部２１の前端部及び後端部のうちの他方が第２端部２６となる。以下では、図２及び図６に示すように、本体部２１の前端部を第１端部２５とし、本体部２１の後端部を第２端部２６として、水受け部品４０の仕切板２０への取り付け構成を説明する。
【００２６】
仕切板２０は、本体部２１の第１端部２５から送風機室５とは反対側に延びる折り曲がり部２７を備えている。そして、水受け部品４０は、本体部２１と折り曲がり部２７とに接触して取り付けられている。水受け部品４０の仕切板２０への取り付け時、本体部２１と折り曲がり部２７とに水受け部品４０を接触させることで、水受け部品４０の水平方向の位置合わせを行うことができる。このため、水受け部品４０を取り付け位置に位置合わせすることが容易となり、水受け部品４０の取り付けが容易となる。
【００２７】
なお、水受け部品４０の仕切板２０への固定方法は特に限定されないが、本実施の形態では、水受け部品４０の前端部及び後端部を仕切板２０にネジ止めすることにより、水受け部品４０を仕切板２０に固定している。具体的には、仕切板２０の折り曲がり部２７には、本体部２１と接続された端部とは反対側の端部に、本体部２１と平行に延びる第２折り曲がり部２８が接続されている。水受け部品４０の前端部は、該第２折り曲がり部２８にネジ止め固定されている。また、水受け部品４０の後端部は、本体部２１にネジ止め固定されている。
【００２８】
また、本実施の形態では、本体部２１と折り曲がり部２７とに接触して水受け部品４０が取り付けられている状態において、隙間６０は、本体部２１と折り曲がり部２７との接続箇所である角部２９に形成されている。このため、隙間６０から水受け部品４０の外部へ排出された水は、仕切板２０を伝って下方へ流れていく際、角部２９を流れ行くこととなる。水受け部品４０の外部へ排出された水が角部２９を流れることにより、水受け部品４０の外部へ排出された水が仕切板２０の平面部分を流れる場合と比べ、仕切板２０を伝って下方へ流れていく水が広がって飛び散ることを抑制できる。このため、水受け部品４０の外部へ排出された水が角部２９を流れることにより、水受け部品４０の外部へ排出された水が仕切板２０の平面部分を流れる場合と比べ、電気品箱１４の下方に設けられた圧縮機１３等の通電される機器に水が付着することをより抑制できる。
【００２９】
また、本実施の形態では、配線通路２２と本体部２１の第１端部２５との距離が、配線通路２２と本体部２１の第２端部２６との距離よりも近くなっている。すなわち、配線通路２２は、折り曲がり部２７の近傍に配置されている。このように構成することにより、本体部２１と折り曲がり部２７とに接触して水受け部品４０を取り付け、角部２９に隙間６０を形成する場合、平面視において、配線通路２２から隙間６０までの距離を短くすることができる。したがって、機械室６に侵入して水受け部品４０で受けられた水を、速やかに室外機１００外へ排出することができる。
【００３０】
また、本実施の形態では、水受け部品４０は、側壁部４１の一部に傾斜部４８を備えている。この傾斜部４８は、底部４２のうちで隙間６０よりも高い箇所と接続されている。また、平面視において、傾斜部４８は、隙間６０から離れるにしたがって、仕切板２０の本体部２１に近づく形状となっている。換言すると、底部４２のうちで隙間６０よりも高い箇所と接続された側壁部４１の一部は、平面視において、隙間６０から離れるにしたがって仕切板２０の本体部２１に近づく形状となっている。水受け部品４０が傾斜部４８を備えることにより、底部４２における隙間６０よりも高い箇所の面積が小さくなる。このため、水受け部品４０が傾斜部４８を備えることにより、水受け部品４０内に水が留まる時間を短くできる。したがって、機械室６に侵入して水受け部品４０で受けられた水を、速やかに室外機１００外へ排出することができる。
【００３１】
また、本実施の形態では、水受け部品４０は、配線１６を固定する配線固定部４９を備えている。本実施の形態では、配線固定部４９は、凹部５０と、凹部５０の開口部の一部を塞ぐように設けられた爪５１と、を備えている。そして、凹部５０の周壁と爪５１とで配線１６を挟み込み、配線１６を固定している。配線固定部４９は、水受け部品４０において水を排出する機能を有さない外側部分に設けられている。
【００３２】
機械室６内の下方に設けられた圧縮機１３等の通電される機器と接続された配線１６は、上方に引き回され、電気品箱１４の電機部品と接続される。この際、配線１６を配線固定部４９で固定することにより、水受け部品４０から排出された水が通過する経路とずらして、配線１６を配置することができる。これにより、水受け部品４０から排出された水が配線１６を伝い、圧縮機１３等の通電される機器に到達することを抑制できる。なお、仕切板２０の本体部２１にも、配線１６を固定するための固定具２４が設けられている。本実施の形態では、固定具２４によっても、水受け部品４０から排出された水が通過する経路とずらして、配線１６を固定できる。
【００３３】
以上、本実施の形態に係る空気調和機の室外機１００は、筐体１と、通電される機器が収納される機械室６と送風機１２が収納される送風機室５とに筐体１の内部を仕切る本体部２１を有する仕切板２０と、を備えている。仕切板２０の本体部２１には、送風機１２と接続される配線１５が通る配線通路２２が形成されている。また、室外機１００は、側壁部４１が配線通路２２と対向するように機械室６に設けられ、配線通路２２から機械室６へ侵入する水を受ける箱状の水受け部品４０を備えている。水受け部品４０には、側壁部４１における配線通路２２と対向する箇所に第１開口部４５が形成されるとともに、上面部４７に該水受け部品４０から引き出される配線１５が通る第２開口部４６が形成されている。水受け部品４０は、第１開口部４５の周縁が本体部２１に接触して、仕切板２０に取り付けられている。水受け部品４０の底部４２の一部と仕切板２０との間には、水受け部品４０で受けられた水が該水受け部品４０から排出される際に通る隙間６０が形成されている。また、底部４２は隙間６０に向かって傾斜している。
【００３４】
本実施の形態に係る空気調和機の室外機１００においては、仕切板２０の配線通路２２から機械室６に侵入した水は、水受け部品４０で受けられる。そして、本実施の形態に係る空気調和機の室外機１００においては、水受け部品４０で受けられた水は、仕切板２０を伝って下方へ流れ落ちていく。このため、本実施の形態に係る空気調和機の室外機１００は、電気品箱１４の下方に設けられた通電される機器に水が付着することを抑制できる。
【符号の説明】
【００３５】
１  筐体、２  前面部、３  吹出口、４  底板、５  送風機室、６  機械室、１１  熱交換器、１２  送風機、１３  圧縮機、１４  電気品箱、１５  配線、１６  配線、２０  仕切板、２１  本体部、２２  配線通路、２３  ゴムブッシュ、２４  固定具、２５  第１端部、２６  第２端部、２７  折り曲がり部、２８  第２折り曲がり部、２９  角部、４０  水受け部品、４１  側壁部、４２  底部、４４  窪み、４５  第１開口部、４６  第２開口部、４７  上面部、４８  傾斜部、４９  配線固定部、５０  凹部、５１  爪、６０  隙間、１００  室外機。
【図１】
2020208707.tif 000003
【図２】
2020208707.tif 000004
【図３】
2020208707.tif 000005
【図４】
2020208707.tif 000006
【図５】
2020208707.tif 000007
【図６】
2020208707.tif 000008
【国際調査報告】
2020208707.tif 000009
2020208707.tif 000010
2020208707.tif 000011
2020208707.tif 000012